(57)【要約】【課題】照明空間がユーザの意図しない消灯状態になることを防止することが可能な点灯装置およびそれを備えた照明システムを提供する。【解決手段】点灯装置１０は、２以上の出力端１０ａから各別に出力を供給する出力供給部１と、照明シーンに応じた調光レベルを再現する設定信号を受信する受信部２と、出力供給部１を制御する制御部３と、を備えている。点灯装置１０は、出力検出値を制御部３に送り出す出力検出部４と、出力設定値と出力検出値との比較結果に基づいて判定した出力の異常を制御部３に送り出す判定部５と、を備えている。設定信号は、少なくとも１つの出力端１０ａから供給する出力が零でない所定値で、かつ、残りの出力端１０ａから供給する出力が零となる信号であり、判定部５が異常と判定した場合、制御部３は、設定信号に関わらず、残りの出力端１０ａから出力を供給するように、出力供給部１を制御する。【選択図】図１
2017050079.tif 000002
【特許請求の範囲】
【請求項１】
１または複数の照明負荷が電気的に直列に接続される出力端を２以上有しており、
２以上の前記出力端から各別に出力を供給する出力供給部と、
照明シーンに応じた各前記照明負荷の調光レベルを再現する設定信号を受信する受信部と、
前記設定信号に基づいた出力設定値で２以上の前記出力端から各別に所定の出力を供給させるように前記出力供給部を制御する制御部と、
前記出力端から供給される出力を検出した出力検出値を前記制御部に送り出す出力検出部と、
前記出力設定値と前記出力検出値との比較結果に基づいて判定した、前記出力供給部から供給される出力の異常を前記制御部に送り出す判定部と、を備え、
前記設定信号は、２以上の前記出力端のうち、少なくとも１つの前記出力端から供給する出力が零でない所定値で、かつ、残りの前記出力端から供給する出力が零となる指令を含んでおり、出力が零でない前記出力端からの出力を前記判定部が異常と判定した場合、
前記制御部は、前記設定信号に関わらず、前記残りの出力端から出力を供給するように、前記出力供給部を制御することを特徴とする点灯装置。
【請求項２】
前記判定部は、前記出力検出値が前記出力設定値よりも小さい場合、前記設定信号において出力が零でない前記出力端からの出力の供給が異常であると判定することを特徴とする請求項１に記載の点灯装置。
【請求項３】
前記制御部は、前記判定部が、前記設定信号において出力が零でない前記出力端からの出力の供給が異常であると判定した場合、前記設定信号に関わらず、異常と判定した前記出力端からの出力を低減または零にさせるように、前記出力供給部を制御することを特徴とする請求項１または請求項２のいずれか１項に記載の点灯装置。
【請求項４】
前記出力供給部と２以上の前記出力端それぞれとの間に各別に電流遮断部を備えており、
前記電流遮断部は、前記出力供給部から供給される出力が異常な場合、前記出力供給部から供給される出力が正常な場合と比較してインピーダンスを高くすることを特徴とする請求項３に記載の点灯装置。
【請求項５】
請求項１ないし請求項４のいずれか１項に記載の点灯装置と、該点灯装置に接続された前記照明負荷と、前記設定信号を送信する設定器と、を備えたことを特徴とする照明システム。
【請求項６】
前記点灯装置の２以上の前記出力端と電気的に接続された前記照明負荷それぞれは、同一の照明空間に配置されることを特徴とする請求項５に記載の照明システム。
【発明の詳細な説明】
【技術分野】
【０００１】
本発明は、点灯装置およびそれを備えた照明システムに関する。
【背景技術】
【０００２】
従来、複数の照明負荷を点灯させる点灯装置が利用されている。この種の点灯装置としては、異常検出手段と、調整手段と、制御手段と、を備えた構成が知られている（たとえば、特許文献１）。
【０００３】
特許文献１の異常検出手段は、照明負荷たるＬＥＤ(Light Emitting Diode)光源の異常を検出する。調整手段は、複数のＬＥＤ光源に給電される直流電力を各別に調整する。制御手段は、複数のＬＥＤ光源の中で異常検出手段が異常を検出したＬＥＤ光源への給電を停止するように調整手段を制御する。制御手段は、異常検出手段が異常を検出していないＬＥＤ光源への給電量を増やすように調整手段を制御する。
【０００４】
特許文献１の構成では、一部のＬＥＤ光源に異常が生じた場合における照度低下を抑制することができる、としている。
【先行技術文献】
【特許文献】
【０００５】
【特許文献１】特開２０１５−２３００２号公報
【発明の概要】
【発明が解決しようとする課題】
【０００６】
ところで、点灯装置は、複数の照明負荷の調光レベルを制御して所定の照明シーンとする構成に利用される場合もある。点灯装置では、設定信号に基づいて、複数の照明負荷のうち、１つの照明負荷を点灯させる場合、点灯している照明負荷が何らかの原因で消灯すれば、照明空間がユーザの意図に反して消灯状態なるおそれがある。特許文献１の構成では、照明空間がユーザの意図しない消灯状態になることを防止することについて記載されていない。
【０００７】
本発明の目的は、照明空間がユーザの意図しない消灯状態になることを防止することが可能な点灯装置およびそれを備えた照明システムを提供することにある。
【課題を解決するための手段】
【０００８】
本発明の点灯装置は、出力端を２以上有している。上記出力端には、１または複数の照明負荷が電気的に直列に接続される。点灯装置は、出力供給部と、受信部と、制御部と、出力検出部と、判定部と、を備えている。上記出力供給部は、２以上の上記出力端から各別に出力を供給する。上記受信部は、照明シーンに応じた各上記照明負荷の調光レベルを再現する設定信号を受信する。上記制御部は、上記設定信号に基づいた出力設定値で２以上の上記出力端から各別に所定の出力を供給させるように、上記出力供給部を制御する。上記出力検出部は、上記出力端から供給される出力を検出した出力検出値を上記制御部に送り出す。上記判定部は、出力設定値と出力検出値との比較結果に基づいて判定した、上記出力供給部から供給される出力の異常を上記制御部に送り出す。上記出力設定値は、上記制御部が上記設定信号に基づいて上記出力供給部を制御し、上記出力端から供給させるように設定された出力の値である。上記出力検出値は、上記出力検出部が上記出力端から供給する出力を検出した出力の値である。上記設定信号は、２以上の上記出力端のうち、少なくとも１つの上記出力端から供給する出力が零でない所定値で、かつ、残りの上記出力端から供給する出力が零となる指令を含んだ特定の信号の場合がある。上記設定信号が特定の信号であり、上記判定部が異常と判定した場合、上記制御部は、上記設定信号に関わらず、上記残りの出力端から出力を供給するように、上記出力供給部を制御する。上記判定部が異常と判定した場合とは、出力が零でない上記出力端からの出力の供給が異常な場合であることを特徴とする。
【０００９】
本発明の照明システムは、上述の点灯装置と、当該点灯装置に接続された上記照明負荷と、上記設定信号を送信する設定器と、を備えたことを特徴とする。
【発明の効果】
【００１０】
本発明の点灯装置は、照明空間がユーザの意図しない消灯状態になることを防止することが可能になる、という効果がある。
【００１１】
本発明の照明システムは、照明空間がユーザの意図しない消灯状態になることを防止することが可能な点灯装置を備えた構成にできる、という効果がある。
【図面の簡単な説明】
【００１２】
【図１】実施形態１の点灯装置を備えた照明システムを示すブロック図である。
【図２】実施形態１に係る照明負荷の配置を示す部屋の見取り図である。
【図３】実施形態１の点灯装置の動作を説明するタイミング図である。
【図４】実施形態２の点灯装置を備えた照明システムを示すブロック図である。
【発明を実施するための形態】
【００１３】
（実施形態１）
以下では、本実施形態の点灯装置１０について、図１ないし図３を用いて説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様として実現されてもよいし、一の部材の機能を複数の部材で分担される様態として実現されてもよい。
【００１４】
本実施形態の点灯装置１０は、図１に示すように、出力端１０ａを２以上有している。出力端１０ａには、１または複数の照明負荷２０が電気的に直列に接続される。図１では、２つの出力端１０ａのうち、一方を第１出力端１０ａａとし、他方を第２出力端１０ａｂとして例示している。第１出力端１０ａａには、３つの照明負荷２０として、第１照明負荷２０ａと、第２照明負荷２０ｂと、第３照明負荷２０ｃと、が電気的に直列に接続されている。第２出力端１０ａｂには、２つの照明負荷２０として、第４照明負荷２０ｄと、第５照明負荷２０ｅと、が電気的に直列に接続させている。
【００１５】
点灯装置１０は、出力供給部１と、受信部２と、制御部３と、出力検出部４と、判定部５と、を備えている。出力供給部１は、２以上の出力端１０ａから各別に出力を供給する。受信部２は、照明シーンに応じた各照明負荷２０の調光レベルを再現する設定信号を受信する。制御部３は、設定信号に基づいた出力設定値で２以上の出力端１０ａから各別に所定の出力を供給させるように、出力供給部１を制御する。出力検出部４は、出力端１０ａから供給される出力を検出した出力検出値を制御部３に送り出す。判定部５は、出力設定値と出力検出値との比較結果に基づいて判定した、出力供給部１から供給される出力の異常を制御部３に送り出す。出力設定値は、制御部３が設定信号に基づいて出力供給部１を制御し、出力端１０ａから供給させるように設定された出力の値である。出力検出値は、出力検出部４が出力端１０ａから供給する出力を検出した出力の値である。
【００１６】
設定信号は、２以上の出力端１０ａのうち、少なくとも１つの出力端１０ａから供給する出力が零でない所定値で、かつ、残りの出力端１０ａから供給する出力が零となる指令を含んだ特定の信号の場合がある。設定信号が特定の信号であり、判定部５が異常と判定した場合、制御部３は、設定信号に関わらず、残りの出力端１０ａから出力を供給するように、出力供給部１を制御する。判定部５が異常と判定した場合とは、出力が零でない出力端１０ａからの出力の供給が異常な場合である。
【００１７】
本実施形態の点灯装置１０では、判定部５が異常と判定した場合、制御部３は、設定信号に関わらず、残りの出力端１０ａから出力を供給するように出力供給部１を制御することで、照明空間がユーザの意図しない消灯状態になることを防止することができる。
【００１８】
以下では、本実施形態に係る照明システム３０の構成について説明する。
【００１９】
照明システム３０は、図１に示すように、点灯装置１０と、点灯装置１０に接続された照明負荷２０と、設定信号を送信する設定器２４と、を備えている。
【００２０】
照明システム３０は、複数の照明負荷２０が１台の点灯装置１０に接続されている。照明システム３０では、設定器２４からの設定信号に基づいて、複数の照明負荷２０の点灯が制御されることで、照明空間全体の照明環境の明るさを照明シーンに合わせて演出できるように構成されている。
【００２１】
以下では、点灯装置１０の第１出力端１０ａａと電気的に直列に接続された、第１照明負荷２０ａと第２照明負荷２０ｂと第３照明負荷２０ｃとの３つの照明負荷２０を備える電気回路を第１系列２１と称する。同様に、点灯装置１０の第２出力端１０ａｂと電気的に直列に接続された第４照明負荷２０ｄと第５照明負荷２０ｅとの２つの照明負荷２０を備える電気回路を第２系列２２と称する。すなわち、照明システム３０は、１台の点灯装置１０で、第１系列２１の照明負荷２０と第２系列２２の照明負荷２０とに各別に出力を供給できるように構成されている。
【００２２】
第１照明負荷２０ａと、第２照明負荷２０ｂと、第３照明負荷２０ｃとは、図２に示すように、たとえば、リビングルーム３０ａに設けられた３つのダウンライトそれぞれの光源を構成している。図２は、照明空間として、たとえば、リビングルーム３０ａとダイニングルーム３０ｂとを仕切らずに一体化させたリビング・ダイニングを図示している。３つのダウンライトのそれぞれは、１つの照明負荷２０と、１つの照明負荷２０を固定する器具本体と、を備えた照明器具を構成している。照明システム３０では、１つの照明負荷２０を備えた３つのダウンライトで、リビングルーム３０ａのテーブル３１を照らすことができるように構成されている。図２では、２つのソファ３２をテーブル３１の周りに配置した例を図示している。
【００２３】
第４照明負荷２０ｄと、第５照明負荷２０ｅとは、たとえば、ダイニングルーム３０ｂに設けられた２つダウンライトそれぞれの光源を構成している。２つのダウンライトそれぞれは、１つの照明負荷２０と、１つの照明負荷２０を固定する器具本体と、を備えた照明器具を構成している。照明システム３０では、１つの照明負荷２０を備えた２つのダウンライトで、ダイニングテーブル３３を照らすことができるように構成されている。図２では、４つのイス３４をダイニングテーブル３３の周りに配置した例を図示している。
【００２４】
照明システム３０は、たとえば、リビング・ダイニングなど同一の照明空間において、他の場所よりあかりをあつめた明るい場所を構成する複数のダウンライトを、一括して制御することができる。以下では、他の場所よりあかりをあつめた明るい場所を、「あかりだまり」とも称する。あかりだまりでは、たとえば、テーブル３１やダイニングテーブル３３に光を集め、人が集いたくなる雰囲気をつくることが可能となる。照明システム３０では、第１系列２１や第２系列２２ごとに、一括して明るさを制御することができる。照明負荷２０は、リビングルーム３０ａやダイニングルーム３０ｂに設けられたダウンライトの光源だけに限られず、シーリングライト、ペンダントライト、ブラケットタイプの器具などの光源であってもよい。照明器具は、必ずしも器具本体に１つの照明負荷２０を備える構成だけには限られない。照明器具は、２以上の照明負荷２０を器具本体に備える構成としてもよい。
【００２５】
すなわち、本実施形態に係る照明システム３０において、点灯装置１０の２以上の出力端１０ａと電気的に接続された照明負荷２０それぞれは、同一の照明空間に配置されている。照明システム３０は、同一の照明空間に配置されている複数の照明負荷２０を点灯装置１０が制御して、所定の照明シーンにすることができる。
【００２６】
次に、本実施形態の点灯装置１０の具体的な構成について説明する。
【００２７】
出力供給部１は、交流直流変換部１ａと、直流制御部１ｂと、を備えている。交流直流変換部１ａは、整流部１ｄを備えている。交流直流変換部１ａは、直流制御部１ｂと電気的に接続されている。出力供給部１は、２以上の出力端１０ａから各別に出力を供給できるように、複数の直流制御部１ｂを２以上の出力端１０ａと一対一に対応して備えている。図１では、２つの出力端１０ａに対応して、２つの直流制御部１ｂが設けられている。以下では、２つの直流制御部１ｂのうちの一方を、第１直流制御部１ｂａと称し、２つの直流制御部１ｂのうちの他方を、第２直流制御部１ｂｂと称する。
【００２８】
照明負荷２０は、たとえば、ＬＥＤモジュールを用いることができる。ＬＥＤモジュールは、たとえば、複数個の白色発光ダイオードを電気的に直列接続させて構成されている。本実施形態の照明システム３０では、ＬＥＤモジュールの照明負荷２０を光源とするＬＥＤ照明器具が構成されている。照明負荷２０は、ＬＥＤモジュールだけに限られず、たとえば、有機ＥＬ(Electro Luminescence)素子を備えた構成であってもよい。照明システム３０では、複数の照明負荷２０を用いる場合、全てが同じ構成の照明負荷２０であってもよいし、異なる構成の照明負荷２０であってもよい。
【００２９】
交流直流変換部１ａは、外部の交流電源２３から供給される交流電力を直流電力に変換し、変換した直流電力を出力できるように構成されている。交流直流変換部１ａは、整流部１ｄに加え、たとえば、入力フィルタ、力率改善回路などで構成される。整流部１ｄは、全波整流器で構成されている。力率改善回路は、昇圧チョッパ回路を用いて構成されている。交流直流変換部１ａは、交流電源２３から供給される交流電圧よりも高い直流電圧にする昇圧チョッパ回路を用いたＡＣ−ＤＣコンバータとしている。交流直流変換部１ａは、受信部２、制御部３、出力検出部４、判定部５などに電力を供給できるように構成されていてもよい。言い換えれば、交流直流変換部１ａは、点灯装置１０の電源回路を構成することができる。
【００３０】
直流制御部１ｂは、交流直流変換部１ａからの直流電圧を、出力端１０ａに接続される照明負荷２０に適した直流電圧に降圧する。出力供給部１では、第１照明負荷２０ａないし第３照明負荷２０ｃそれぞれを点灯させる第１直流制御部１ｂａと、第４照明負荷２０ｄおよび第５照明負荷２０ｅを点灯させる第２直流制御部１ｂｂとを、基本的に同様の構成としている。以下では、主として、第１直流制御部１ｂａの構成について説明する。
【００３１】
第１直流制御部１ｂａは、スイッチング素子を備えた降圧チョッパ回路と、降圧チョッパ回路を駆動する駆動回路と、を備えたスイッチング電源回路で構成している。第１直流制御部１ｂａは、交流直流変換部１ａから出力される直流電圧を、第１系列２１に電気的に接続された第１照明負荷２０ａないし第３照明負荷２０ｃの直列回路の駆動電圧まで降圧する。第１直流制御部１ｂａは、スイッチング素子のデューティ比に応じて、第１照明負荷２０ａないし第３照明負荷２０ｃの光出力を一括して増減させることができる。
【００３２】
受信部２は、点灯装置１０の外部に設けられた設定器２４から設定信号を受信できるように構成されている。受信部２は、設定信号に含まれる調光レベルの情報を制御部３に伝達する。設定信号は、複数の照明負荷２０の調光レベルを再現し、照明空間を予め設定された所定の照明シーンに切り替えることができるように、第１出力端１０ａａから供給される出力と第２出力端１０ａｂから供給される出力とを各別に制御可能な信号である。
【００３３】
受信部２は、たとえば、赤外線受光素子と、赤外線受光素子の出力を増幅し所定の信号処理を行う信号処理部と、を備えている。受信部２は、設定器２４から送信される赤外線を媒体とする設定信号が受信できるように構成されている。受信部２は、赤外線受光素子で受信した赤外線から復調した設定信号に含まれる調光レベルの情報を、信号処理部が制御部３に伝達する。受信部２は、必ずしも、点灯装置１０の外部に設けられた設定器２４からの設定信号を受信して処理を行う構成だけに限られない。受信部２は、制御部３がマイクロコンピュータで構成されている場合、マイクロコンピュータの入力端子そのものであってもよい。
【００３４】
制御部３は、受信部２が受信した設定信号に基づいて、直流制御部１ｂを制御し出力端１０ａから出力を供給する直流電流の電流値を決定する。制御部３は、決定した電流値を流すように、第１直流制御部１ｂａおよび第２直流制御部１ｂｂを制御信号でそれぞれ制御する。制御信号には、設定信号で再現する調光レベルの情報が含まれている。制御部３は、第１直流制御部１ｂａおよび第２直流制御部１ｂｂを各別に制御することで、照明空間を所定の照明シーンとなる照明環境にすることができる。
【００３５】
制御部３は、制御信号として、調光レベルをオンデューティ比に対応させたＰＷＭ(pulse width modulation)信号を用いて、第１直流制御部１ｂａと、第２直流制御部１ｂｂとを各別に制御する。制御部３は、直流制御部１ｂを構成する半導体スイッチング素子のオンデューティを制御することで、調光レベルに対応した電流を出力端１０ａから照明負荷２０に流すことができる。調光レベルは、たとえば、照明負荷２０の定格点灯時を１００％としたときの光出力の比とすればよい。調光レベルには、照明負荷２０の定格点灯および照明負荷２０の消灯も含まれる。
【００３６】
制御部３は、たとえば、ＣＰＵ(Central Processing Unit)を備えたマイクロコンピュータを用いて構成することができる。マイクロコンピュータは、内蔵された記憶部に記憶している適宜のプログラムを実行させることで、所定の制御動作を行うことができる。記憶部は、たとえば、フラッシュメモリやＥＥＰＲＯＭ（Electrically Erasable and Programmable Read Only Memory）などの不揮発性半導体メモリを用いて構成することができる。記憶部は、照明空間を照明シーンに合わせて、制御部３が制御するため、照明シーンのデータを記憶している。
【００３７】
照明シーンとしては、たとえば、普段シーン、食事に適した照明環境とする食事シーン、若しくはくつろぎ感が得られるように照明環境を制御したくつろぎシーンなどが挙げられる。普段シーンとしては、調光レベルが比較的高い光出力で、第１照明負荷２０ａないし第３照明負荷２０ｃ、第４照明負荷２０ｄおよび第５照明負荷２０ｅを全て点灯させ、リビングルーム３０ａおよびダイニングルーム３０ｂを照らす場合が挙げられる。くつろぎシーンとしては、たとえば、第１照明負荷２０ａないし第３照明負荷２０ｃそれぞれの光出力を定格出力の５０％でテーブル３１を照らし、第４照明負荷２０ｄおよび第５照明負荷２０ｅの光出力を０％とする場合が挙げられる。食事シーンとしては、たとえば、第４照明負荷２０ｄおよび第５照明負荷２０ｅの光出力を定格出力の５０％でダイニングテーブル３３を照らし、第１照明負荷２０ａないし第３照明負荷２０ｃそれぞれの光出力を０％とする場合が挙げられる。言い換えれば、記憶部では、設定信号の各照明シーンに対応して、第１照明負荷２０ａ、第２照明負荷２０ｂ、第３照明負荷２０ｃ、第４照明負荷２０ｄおよび第５照明負荷２０ｅそれぞれの調光レベルが記憶されている。くつろぎシーンでは、第１出力端１０ａａから供給する出力を零でない所定値にさせ、かつ第２出力端１０ａｂから供給する出力を零にさせている。食事シーンでは、第２出力端１０ａｂから供給する出力を零でない所定値にさせ、かつ第１出力端１０ａａから供給する出力を零にさせている。
【００３８】
出力検出部４は、たとえば、第１出力端１０ａａから供給する出力を検出できるように、第１直流制御部１ｂａと、第１出力端１０ａａとの間に電気的に接続された構成とすることができる。出力検出部４は、第２出力端１０ａｂから供給する出力を検出できるように、第２直流制御部１ｂｂと、第２出力端１０ａｂとの間に電気的に接続された構成とすることができる。出力検出部４は、第１出力端１０ａａ、若しくは第２出力端１０ａｂから供給される電流を、抵抗器を用いて検出する電流検出部を備えた構成とすることができる。電流検出部は、第１出力端１０ａａ、若しくは第２出力端１０ａｂから照明負荷２０に流れる電流に比例した電圧を制御部３に送り出す構成とすることができる。出力検出部４は、電流検出部だけに限られない。出力検出部４は、第１系列２１や第２系列２２における高電位側と低電位側との両端電圧を、２つの抵抗器を接続した直列回路を用いて分圧し検出する電圧検出部を備えた構成としてもよい。出力検出部４は、電流検出部と、電圧検出部とを備え、第１出力端１０ａａ若しくは第２出力端１０ａｂから供給する電力を検出する電力検出部であってもよい。出力検出部４は、電力検出部を構成する場合、たとえば、ＣＰＵを用いたマイクロコンピュータを用いて、電流検出部と、電圧検出部とから入力されたアナログ値をデジタル値に変換し、適宜に演算することで電力を算出する構成とすることができる。
【００３９】
判定部５は、設定信号に基づいて出力供給部１が出力端１０ａから供給させる出力設定値と、出力検出部４で検出された出力検出値とを比較して、出力供給部１から供給される出力が異常であるか否かを判定する。判定部５は、出力検出値が、出力設定値と異なる場合、出力供給部１から供給される出力が異常と判定する。判定部５は、出力設定値と、出力検出値とを比較し、比較結果が所定の範囲を超えていれば、出力供給部１から供給される出力が異常と判定するように構成されていればよい。判定部５は、第１出力端１０ａａ、第２出力端１０ａｂごとの出力が異常か否かを判定することができるように構成されている。判定部５は、出力設定値と、出力検出値と、を比較するコンパレータを備えた構成とすることができる。判定部５は、たとえば、ＣＰＵを用いたマイクロコンピュータを適宜のプログラムを実行させて、出力の異常を判定できるように構成されていてもよい。判定部５は、判定結果を制御部３に送信する。
【００４０】
判定部５は、出力検出部４で検出された出力検出値が、受信部２で受信された設定信号に含まれる出力設定値と異なる場合、出力供給部１から供給される出力が異常である旨をユーザに報知できるように報知部を備えた構成としてもよい。報知部は、たとえば、発光ダイオードの点灯により、第１直流制御部１ｂａからの出力と第２直流制御部１ｂｂからの出力のいずれに異常が生じているのかを表示する表示部を用いることができる。報知部は、たとえば、スピーカやブザーからの音により、第１直流制御部１ｂａからの出力と第２直流制御部１ｂｂからの出力とのいずれに異常が生じているのかを報知する構成でもよい。報知部は、たとえば、異常が生じていない直流制御部１ｂからの出力を間欠的に供給することにより、照明負荷２０を点滅させることで報知する構成としてもよい。
【００４１】
次に、設定器２４について簡単に説明する。設定器２４は、たとえば、赤外線を媒体とする設定信号が出力可能なリモートコントローラで構成することができる。以下では、リモートコントローラをリモコンとも称する。
【００４２】
リモコンは、たとえば、ＣＰＵなどを用いたマイクロコンピュータを備えている。リモコンは、適宜のプログラムに基づいて、駆動できるように構成されている。リモコンは、ＣＰＵに加え、操作部と、送信部と、を備えている。送信部は、赤外線を発光可能な赤外線発光素子と、赤外線発光素子の駆動を制御する制御素子と、を備えている。操作部は、押釦スイッチを備えている。ＣＰＵは、押釦スイッチが押操作された場合、押釦スイッチに対応する照明シーンの設定信号を送信部から送信できるように制御素子を制御する。
【００４３】
リモコンは、操作部において照明シーンを切り替える押釦スイッチが押し操作されると、所定の照明シーンにする設定信号を点灯装置１０に送信する。点灯装置１０は、リモコンからの設定信号を受信し、設定信号に基づいて、照明空間が所定の照明シーンに応じた調光レベルとなるように照明負荷２０を調光制御する。
【００４４】
照明システム３０では、設定器２４は、点灯装置１０に対応して設けられた専用のリモコンだけに限られない。設定器２４は、たとえば、専用に形成されたリモコンだけでなく、適宜のアプリケーションソフトがインストールされたスマートフォンなどの電子機器であってもよい。照明システム３０では、設定器２４から受信部２へ無線で設定信号を送信する構成だけに限られず、有線で設定信号を送信する構成としてもよい。設定器２４は、照明シーンが切り替えられるように構成された壁スイッチでもよい。壁スイッチは、たとえば、壁スイッチのスイッチを短時間にオンとオフとの切り替え操作がされると、照明シーンを切り替える設定信号が有線で点灯装置１０へ供給されるように構成されていてもよい。
【００４５】
以下では、本実施形態に係る照明システム３００の動作を説明する。
【００４６】
近年、照明負荷２０が蛍光灯やＨＩＤ（High Intensity Discharge Lamp）などの放電灯からＬＥＤや有機ＥＬ素子などに代表される固体発光素子に置き換わりつつある。照明システム３０では、照明負荷２０が蛍光灯やＨＩＤなどの放電灯からＬＥＤや有機ＥＬ素子などに代表される固体発光素子に置き換わるのに伴い、点灯装置１０に求められる出力仕様にも変化が生じている。点灯装置１０では、放電灯を安定した点灯状態に維持する出力仕様が、始動時電圧や再点弧電圧に代表される電圧制御と、始動直後から安定点灯に移行するための電流制御の両方であったのに対し、固体発光素子を点灯させる出力仕様は電流制御が主となっている。
【００４７】
照明システム３０は、特に、照明負荷２０に固体発光素子を用いる場合、照明負荷２０を点灯する出力仕様が緩和されていることもあり、一つの点灯装置１０で電気的に直列に接続された複数の照明負荷２０を一括して制御することが比較的に容易となっている。
【００４８】
照明システム３０は、照明空間に複数の照明負荷２０を配し、複数の照明負荷２０の調光レベルを組み合わせて照明シーンにする場合、たとえば、リビングルーム３０ａのあかりだまりを点灯し、ダイニングルーム３０ｂのあかりだまりを消灯する場合がある。
【００４９】
点灯装置１０は、たとえば、くつろぎシーンから食事シーンに照明シーンを切り替える場合、第１照明負荷２０ａないし第３照明負荷２０ｃのみの点灯から第４照明負荷２０ｄおよび第５照明負荷２０ｅのみの点灯に、制御部３が出力供給部１を制御する。点灯装置１０は、くつろぎシーンから食事シーンに切り替える場合、第１照明負荷２０ａないし第３照明負荷２０ｃの光出力を徐々に弱めるように、制御部３が第１直流制御部１ｂａからの出力を低下させる。同時に、点灯装置１０は、第４照明負荷２０ｄおよび第５照明負荷２０ｅの光出力を徐々に高めるように、制御部３が第２直流制御部１ｂｂからの出力を供給させる。
【００５０】
照明システム３０は、リビングルーム３０ａのあかりだまりを構成する３つの照明負荷２０が点灯するように第１直流制御部１ｂａを動作させている場合、一つの照明負荷２０でも開放故障すると、第１系列２１の他の照明負荷２０にも電流が供給できなくなる。照明システム３０では、ダイニングルーム３０ｂのあかりだまりは、元々消灯状態の照明シーンであるため、リビングルーム３０ａのあかりだまりが消灯してしまうと、照明空間全体が消灯状態となってしまう。照明システム３０では、照明空間全体がユーザの予期しない消灯状態となり、ユーザに対して不便をもたらすおそれがある。
【００５１】
本実施形態に係る照明システム３０では、第１系列２１に電気的に直列に接続された３つの照明負荷２０の何れか１つが開放故障となった場合、出力検出部４を介して、判定部５が出力の異常を判定する。判定部５は、制御部３が設定信号に基づいて第１直流制御部１ｂａから送り出す出力設定値と、出力検出部４で検出された第１出力端１０ａａから供給される出力検出値と、を比較する。判定部５では、出力検出部４を電流検出部で構成する場合、出力設定値が零でない所定値であるにもかかわらず、出力検出値が零で出力設定値と異なる値になる。判定部５では、第１直流制御部１ｂａから出力される出力検出値が零など出力検出値よりも小さい場合、第１直流制御部１ｂａが故障、または第１出力端１０ａａに接続された第１系列２１に異常が生じていると判定できる。照明システム３０では、判定部５が出力の異常を判定した場合、判定部５が異常を示す信号を制御部３へ送り出す。
【００５２】
言い換えれば、本実施形態の点灯装置１０では、判定部５は、出力検出値が出力設定値よりも小さい場合、設定信号において出力が零でない出力端１０ａからの出力の供給が異常であると判定している。
【００５３】
照明システム３０では、判定部５が出力の異常を判定し、判定結果を制御部３に送り出す。制御部３は、判定部５から出力の異常と判定された判定結果を受けた場合、第２系列２２の第４照明負荷２０ｄおよび第５照明負荷２０ｅの消灯を維持していた第２直流制御部１ｂｂを非動作状態から動作状態に切り替える。照明システム３０では、制御部３からの制御信号で第２直流制御部１ｂｂが非動作状態から動作状態に切り替わり、第２系列２２の第４照明負荷２０ｄおよび第５照明負荷２０ｅが消灯状態から点灯状態となる。照明システム３０では、制御部３が第２直流制御部１ｂｂを非動作状態から動作状態に切り替えることで第２出力端１０ａｂから所定の出力を供給し、第２系列２２の照明負荷２０を点灯させて、照明空間がユーザの意図しない消灯状態になることを回避できる。照明システム３０は、第１出力端１０ａａの出力の異常を判定部５が判定した場合、第１直流制御部１ｂａの動作状態を非動作状態に切り替えることで、第１出力端１０ａａから供給する出力を零にする。照明システム３０は、第１出力端１０ａａから供給する出力が零になることで、たとえば、第１系列２１における開放故障が生じた個所に開放電圧が印加されることを回避することもできる。
【００５４】
照明システム３０は、図３に示すように、第１系列２１のみを点灯させ、第２系列２２を消灯させる設定信号を、受信部２が設定器２４から受信した場合、制御部３は、時刻ｔ１で第１直流制御部１ｂａのみを点灯状態とし、第２直流制御部１ｂｂを消灯状態にする。図３では、設定信号が、電気的に直列に接続された第１照明負荷２０ａと第２照明負荷２０ｂと第３照明負荷２０ｃとを点灯させるように、第１出力端１０ａａから第１系列２１に供給する出力を零でない所定値にさせている。設定信号は、電気的に直列に接続された第４照明負荷２０ｄと第５照明負荷２０ｅとを点灯させるように、第２出力端１０ａｂから第２系列２２に供給する出力を零にさせている。制御部３は、図３に示すように、時刻ｔ２で判定部５が異常と判定した場合、設定信号に関わらず、第２直流制御部１ｂｂを制御して、第２出力端１０ａｂから供給する出力を零にしている。
【００５５】
照明システム３０では、判定部５からの判定結果が異常な場合、制御部３は、照明シーンを設定する設定信号に基づいて消灯させている照明負荷２０を、設定信号によらず点灯させるように、出力供給部１を制御して出力端１０ａから出力を供給する。照明システム３０では、判定部５の判定結果が異常な場合、制御部３は、照明シーンを設定する設定信号に基づいて点灯させている照明負荷２０を、設定信号によらず消灯させるように、出力供給部１を制御して出力端１０ａから出力が供給されないようにする。
【００５６】
照明システム３０では、判定部５の判定結果が異常な場合、制御部３は、照明シーンを設定する設定信号に基づいて点灯させている照明負荷２０を、設定信号によらず消灯させるように、出力供給部１を制御する構成だけに限られない。照明システム３０は、たとえば、第１直流制御部１ｂａの故障で第１出力端１０ａａへ供給される出力が過剰となった場合、制御部３は、第１出力端１０ａａから供給される出力をより低くなるように、出力供給部１を制御する構成としていてもよい。照明システム３０では、制御部３が出力端１０ａから供給される出力を、より低くなるように、出力供給部１を制御することで、異常が生じた箇所に開放電圧が印加されることを抑制することが可能となる。
【００５７】
言い換えれば、本実施形態の点灯装置１０では、制御部３は、判定部５が、異常であると判定した場合、設定信号に関わらず、異常と判定した出力端１０ａからの出力を低減または零にさせるように、出力供給部１を制御することが好ましい。判定部５が異常であると判定した場合とは、設定信号において出力が零でない出力端１０ａからの出力の供給が異常な場合である。
【００５８】
制御部３は、受信部２が受信した設定信号に応じて、複数の直流制御部１ｂから２以上の出力端１０ａへ各別に供給する直流電流値を決定する。複数の直流制御部１ｂの各々は、制御部３が決定した直流電流の値を出力設定値とする制御信号に基づいて、直流電流を２以上の出力端１０ａに供給する。出力検出部４の出力検出値は、判定部５によって制御部３の指示値と比較され、判定結果は、制御部３に送信される。制御部３は、判定結果により、設定信号によらず複数の直流制御部１ｂの各別の出力を供給または零にする。照明システム３０は、動作状態にある第１直流制御部１ｂａと接続された第１系列２１の照明負荷２０が消灯で、判定部５が出力を異常と判定した場合、第２直流制御部１ｂｂと接続された消灯状態にある第２系列２２の照明負荷２０を設定信号によらず点灯させる。
【００５９】
（実施形態２）
図４に示す実施形態２の点灯装置１０は、図１に示す実施形態１の構成に加え、出力供給部１と出力端１０ａとの間に電流遮断部６を備えた点が主として相違する。なお、実施形態１と同様の構成には、同一の符号を付して説明は省略する。
【００６０】
本実施形態の点灯装置１０では、図４に示すように、出力供給部１と２以上の出力端１０ａそれぞれとの間に各別に電流遮断部６を備えている。電流遮断部６は、出力供給部１から供給される出力が異常な場合、出力供給部１から供給される出力が正常な場合と比較してインピーダンスを高くするように構成している。
【００６１】
本実施形態の点灯装置１０は、電流遮断部６が、出力供給部１から供給される出力が異常な場合、出力供給部１から供給される出力が正常の場合と比較してインピーダンスを高くすることで、出力端１０ａから過電流が流れることを防止することが可能となる。
【００６２】
以下では、本実施形態に係る照明システム３０について、説明する。
【００６３】
本実施形態に係る照明システム３０では、電流遮断部６は、出力供給部１から供給される出力が異常な場合、第１系列２１若しくは第２系列２２との電気的接続を遮断できるように構成されている。
【００６４】
電流遮断部６は、たとえば、電流ヒューズや配線用遮断器などを用いることができる。電流ヒューズは、直流制御部１ｂからの出力が所定の正常な範囲内においては導通状態を保持する。電流ヒューズは、たとえば、第１直流制御部１ｂａ若しくは第２直流制御部１ｂｂのいずれかに故障などが生じることで、第１系列２１若しくは第２系列２２のいずれかへの出力が過剰となった場合、出力を遮断することができるように構成されている。照明システム３０は、たとえば、第１直流制御部１ｂａと第１系列２１との間に設けられた電流ヒューズが遮断状態となった場合、第１系列２１に対して電力が供給されず、第１系列２１に直列に接続された照明負荷２０の全てを消灯させることができる。
【００６５】
電流遮断部６は、たとえば、判定部５で判定した結果が正常な場合、比較的に低インピーダンスに保たれるように制御された配線用遮断器を備える構成としてもよい。電流遮断部６は、判定部５で判定した結果が異常な場合、正常な場合と比較して高インピーダンスとなるように配線用遮断器を制御できる構成とすればよい。
【００６６】
点灯装置１０では、電流遮断部６が第１系列２１若しくは第２系列２２のいずれかへ出力の供給を遮断すると、判定部５が、出力供給部１から供給される出力が異常であるとして、制御部３に判定結果を送り出す。点灯装置１０では、判定部５が異常と判定した場合、制御部３は、設定信号に関わらず、残りの出力端１０ａから出力を供給するように出力供給部１を制御することで、照明空間がユーザの意図しない消灯状態になることを防止することができる。
【符号の説明】
【００６７】
１  出力供給部
２  受信部
３  制御部
４  出力検出部
５  判定部
６  電流遮断部
１０  点灯装置
２０  照明負荷
３０  照明システム
【図１】
2017050079.tif 000003
【図２】
2017050079.tif 000004
【図３】
2017050079.tif 000005
【図４】
2017050079.tif 000006